(57)【要約】【課題】  港の岸壁や防波堤などで長時間釣りをする場合は、座った状態で釣りをする事が多く、釣竿も低い位置に保持する必要があるが、そのまま地面に釣竿を置いて釣りをすると、竿やリールを傷つけたりして、余り好ましく無かった、本考案は、低い位置に釣竿を保持出来る竿受具を提供する。【解決手段】  上端部に竿受部を有する前脚の上部内側に、支持駒を設け、該支持駒に回転可能に後脚を設け、更に、前脚と後脚を最大に拡開した時に、竿受部が平坦面になり、前脚と後脚をこの状態に保持する為に、前脚と後脚間には中央部を回転可能にした回転ステーを設けた前受具と、前脚の上端と後脚の上端をヒンジ部材で連結させ、該ヒンジ部材の上面に竿受部を設け、更に、前脚と後脚を最大に拡開した時に、竿受部が平坦面になり、前脚と後脚をこの状態に保持する為に、前脚と後脚間には中央部を回転可能にした回転ステーを設けた後受具とから成るもので、前受具と後受具は各々独立した物であり、竿の長さやその地形によって使い分けるものである。【選択図】    図７
0003109950.tif 000002
【実用新案登録請求の範囲】
【請求項１】
主に、港の岸壁及び防波堤などでの釣りの際に、リールの装着された竿をのせて支持する、釣竿受け具において、上端部に竿受部（Ａ１）を有する前脚（Ａ２）の上部内側に、支持駒（Ａ３）を設け、該支持駒（Ａ３）に回転可能に後脚（Ａ４）を設け、更に、前脚（Ａ２）と後脚（Ａ４）を最大に拡開した時に、竿受部（Ａ１）が平坦面になり、前脚（Ａ２）と後脚（Ａ４）をこの状態に保持する為に、前脚（Ａ２）と後脚（Ａ４）間には中央部を回転可能にした回転ステー（Ａ５）を設けた前受具（Ａ）と、前脚（Ｂ２）の上端と後脚（Ｂ４）の上端をヒンジ部材（Ｂ３）で連結させ、該ヒンジ部材（Ｂ３）の上面に竿受部（Ｂ１）を設け、更に、前脚（Ｂ２）と後脚（Ｂ４）を最大に拡開した時に、竿受部（Ｂ１）が平坦面になり、前脚（Ｂ２）と後脚（Ｂ４）をこの状態に保持する為に、前脚（Ｂ２）と後脚（Ｂ４）間には中央部を回転可能にした回転ステー（Ｂ５）を設けた後受具（Ｂ）とから成ることを特徴とする釣竿受け具。
【請求項２】
前記前脚（Ａ２）と後脚（Ａ４）及び前脚（Ｂ３）と後脚（Ｂ４）の下端部には、級台（Ａ６、Ａ７、Ｂ６、Ｂ７）が各々敷設され、更に、竿受部（Ａ１、Ｂ１）の両端部には、受羽（Ａ８、Ｂ８）が設けられたことを特徴とする請求項１記載の釣竿受け具。
【請求項３】
前記前受具（Ａ）の支持駒（Ａ３）には、前受具（Ａ）を安定させる為の、錘（１０）を吊設するフック（９）が設けられたことを特徴とする請求項１〜２記載の釣竿受け具。
【考案の詳細な説明】
【技術分野】
【０００１】  本考案は、長時間の釣りの場合、釣竿を手で持ちながら魚が掛かるのを待っていると非常に疲れるので、釣り場において、釣竿を手で持たないで支持することの出来る、釣竿受け具に関するものである。
【背景技術】
【０００２】  従来長時間の釣りの場合、釣竿を支持するために釣竿受けが使用されていた。
それは、脚の上端部に釣竿を受け止める竿受部が設けられているもので、釣竿の基端を手で持って、その基端近くの少し先をその竿受部に掛けて、釣竿を保持するものである。
又は、釣竿を受ける前竿受部とその後方の釣竿の基端を支持する後竿受部を設け、手で持たずに釣竿を保持する物もあった。【０００３】  前記の様な釣竿受けの脚部は、上端が一点支持された三脚や、地面に突き刺して使用する物などがあり、使用する場所や釣の対象によって、使い分けているものである。
又、上端の竿受部が釣竿の方向を変え得るように、回転可能となっているものも使用されている。
【考案の開示】
【考案が解決しようとする課題】
【０００４】    しかし、従来の釣竿受けでは、主に磯釣り、船釣り、川釣り等は、その専用の物が有ったが、港の岸壁や防波堤などの様に、海面から距離が有り、且つ、平坦な場所での釣りに適した釣竿受け具は、これまで余り考案されて無かった、そのため、磯釣りや川釣り用の物をその代用として使用していたが、しかし、港の岸壁や防波堤などで長時間釣りをする場合は、座った状態で釣りをする事が多く、釣竿も低い位置に保持する必要がある、そのため、磯釣りや川釣り用のものでは、高さが合わず使い難かった。
又、釣竿受けを使用せずに長時間釣りをする場合は、そのまま地面に釣竿を置いて釣りをする事もあったが、竿やリールを傷つけたりして、余り好ましく無かった。
本考案は、この様な問題を解決するために成されたものであり、前受具及び後受具の二つの受具からなる事により、釣竿を低い位置で安定して保持することを可能としたもので、港の岸壁や防波堤などの様に海面から距離が有り、且つ、平坦な場所での釣りに適した、釣竿受け具を提供する。
【課題を解決するための手段】
【０００５】  上記課題を解決するため、本考案の釣竿受け具は、上端部に竿受部を有する前脚の上部内側に、支持駒を設け、該支持駒に回転可能に後脚を設け、更に、前脚と後脚を最大に拡開した時に、竿受部が平坦面になり、前脚と後脚をこの状態に保持する為に、前脚と後脚間には中央部を回転可能にした回転ステーを設けた前受具と、前脚の上端と後脚の上端をヒンジ部材で連結させ、該ヒンジ部材の上面に竿受部を設け、更に、前脚と後脚を最大に拡開した時に、竿受部が平坦面になり、前脚と後脚をこの状態に保持する為に、前脚と後脚間には中央部を回転可能にした回転ステーを設けた後受具とから成るもので、前受具と後受具は各々独立した物であり、竿の長さやその地形によって使い分けるものである。【０００６】  前記前受具及び後受具は、前脚と後脚を支持駒と回転ステー及びヒンジ部材と回転ステーにより各々連結されており、折りたたんで持運ぶことが可能と成っている。【０００７】  前記前脚と後脚及び前脚と後脚の下端部には、級台が各々敷設され、更に、竿受部の両端部には、受羽が設けられたものである。【０００８】  前記前受具の支持駒には、前受具を安定させる為の、錘を吊設するフックが設けられたものである、これは風などの強い時に釣竿が煽られて、釣竿受け具が倒れないように、安定させる為のものである。
【考案の効果】
【０００９】  本考案は、上述のとおり構成されているもので、次に記載する効果を奏する。【００１０】  港の岸壁や防波堤などの様に海面から距離が有り、且つ、平坦な場所での釣りの際に、海側に前受具を配し手前側に後受具を配し、その上に釣竿を置くことで、釣竿を低い位置で安定して保持することが出来、座ったままで釣を楽しむ事を可能とした。【００１１】  又、前受具と後受具が独立しているので、どんな長さの竿にも使用することが出来る。
更に、場合によっては、各々単体で使用することも可能である。
【考案を実施するための最良の形態】
【００１２】  本考案の釣竿受け具は、上端部に竿受部を有する前脚の上部内側に、支持駒を設け、該支持駒に回転可能に後脚を設け、更に、前脚と後脚を最大に拡開した時に、竿受部が平坦面になり、前脚と後脚をこの状態に保持する為に、前脚と後脚間には中央部を回転可能にした回転ステーを設けた前受具と、前脚の上端と後脚の上端をヒンジ部材で連結させ、該ヒンジ部材の上面に竿受部を設け、更に、前脚と後脚を最大に拡開した時に、竿受部が平坦面になり、前脚と後脚をこの状態に保持する為に、前脚と後脚間には中央部を回転可能にした回転ステーを設けた後受具とを各々独立して設ける。
更に、前記前受具の支持駒には、錘を吊設するためのフックを設ける。
【実施例】
【００１３】  考案の実施例について図面を参照して説明する。
本考案は図１に示す様に、上端部に竿受部（Ａ１）を有する前脚（Ａ２）の上部内側に、支持駒（Ａ３）を設け、該支持駒（Ａ３）に回転可能に後脚（Ａ４）を設け、更に、前脚（Ａ２）と後脚（Ａ４）を最大に拡開した時に、竿受部（Ａ１）が平坦面になり、前脚（Ａ２）と後脚（Ａ４）をこの状態に保持する為に、前脚（Ａ２）と後脚（Ａ４）間には中央部を回転可能にした回転ステー（Ａ５）を設けた前受具（Ａ）を設ける。【００１４】  次に、図２に示す様に、前脚（Ｂ２）の上端と後脚（Ｂ４）の上端をヒンジ部材（Ｂ３）で連結させ、該ヒンジ部材（Ｂ３）の上面に竿受部（Ｂ１）を設け、更に、前脚（Ｂ２）と後脚（Ｂ４）を最大に拡開した時に、竿受部（Ｂ１）が平坦面になり、前脚（Ｂ２）と後脚（Ｂ４）をこの状態に保持する為に、前脚（Ｂ２）と後脚（Ｂ４）間には中央部を回転可能にした回転ステー（Ｂ５）を設けた後受具（Ｂ）を設ける。【００１５】  前記前受具（Ａ）及び後受具（Ｂ）の前脚（Ａ２）と後脚（Ａ４）及び前脚（Ｂ３）と後脚（Ｂ４）の下端部には、級台（Ａ６、Ａ７、Ｂ６、Ｂ７）が各々敷設され、更に、竿受部（Ａ１、Ｂ１）の両端部には、受羽（Ａ８、Ｂ８）を設ける。【００１６】  前記前受具（Ａ）の支持駒（Ａ３）には、前受具（Ａ）を安定させる為の、錘（１０）を吊設するフック（９）を設けるものである。【００１７】  上記前受具（Ａ）は、前脚（Ａ２）と後脚（Ａ４）を支持駒（Ａ３）と回転ステー（Ａ５）で、また後受具（Ｂ）は、ヒンジ部材（Ｂ３）と回転ステー（Ｂ５）により各々連結されており、折りたたんで持運ぶことが可能と成っている。
【産業上の利用可能性】
【図面の簡単な説明】
【図１】    本考案の前受具Ａの状態を示す平面図
【図２】    本考案の後受具Ｂの状態を示す平面図
【図３】    本考案の前受具Ａの状態を示す側面図
【図４】    本考案の後受具Ｂの状態を示す側面図
【図５】    本考案の前受具Ａの状態を示す斜視図
【図６】    本考案の後受具Ｂの状態を示す斜視図
【図７】    本考案の使用状態を示す斜視図
【図８】    本考案の使用状態を示す側面図
【符号の説明】
Ａ    前受具
Ａ１  竿受部
Ａ２  前脚
Ａ３  支持駒
Ａ４  後脚
Ａ５  回転ステー
Ａ６  級台
Ａ７  級台
Ａ８  受羽
９    フック
１０  錘
Ｂ    後受具
Ｂ１  竿受部
Ｂ２  前脚
Ｂ３  ヒンジ部材
Ｂ４  後脚
Ｂ５  回転ステー
Ｂ６  級台
Ｂ７  級台
Ｂ８  受羽
１１  台軸
【図１】
0003109950.tif 000003
【図２】
0003109950.tif 000004
【図３】
0003109950.tif 000005
【図４】
0003109950.tif 000006
【図５】
0003109950.tif 000007
【図６】
0003109950.tif 000008
【図７】
0003109950.tif 000009
【図８】
0003109950.tif 000010